(57)【要約】【課題】電線カバーの取付姿勢が傾くことを抑止して、電線カバーの傾きのために不具合が生じることを防止することができるカバー付コネクタを提供すること。【解決手段】電線カバー２５は、コネクタハウジング２３の端子収容孔４１の配列方向に平行な面で突き合される２つの半割れカバー部材５０，６０と、一方の半割れカバー部材５０の前端部に前記配列方向に平行に突設された第１突起部５４と、他方の半割れカバー部材６０の前端部に前記配列方向に平行に突設された第２突起部６４とを備え、コネクタハウジング２３の後端には、第１突起部５４が嵌合される第１凹部４２と第２突起部６４が嵌合される第２凹部４３とを端子収容孔４１の配列を挟んで備える。【選択図】図３
2011081993.tif 000002
【特許請求の範囲】
【請求項１】
端子金具を収容する端子収容孔が後端に開口したコネクタハウジングと、前記コネクタハウジングの後端に連結され前記端子金具から後方に延出する電線を略真っ直ぐに後方に延びた状態で収容保護する略筒状の電線カバーと、を備え、
前記電線カバーは、電線挿通方向に沿う互いの突き合わせ面を突き合わせて接続することで前記電線を挿通させる略真直な筒状の電線収容部を形成する２つの半割れカバー部材と、各半割れカバー部材の前端部に突設されて前記コネクタハウジングの後端の凹部に嵌合されることで前記コネクタハウジングとの連結を果たす突起部と、を備えるカバー付コネクタであって、
前記電線カバーは、互いの突き合わせ面が前記コネクタハウジングにおける前記端子収容孔の配列方向に平行になる２つの半割れカバー部材と、前記コネクタハウジングの後端に連結するときに前記端子収容孔の配列に対してその一側に位置する一方の半割れカバー部材の前端部に前記突き合わせ面と平行に突設された第１突起部と、前記コネクタハウジングの後端に連結するときに前記端子収容孔の配列に対してその他側に位置する他方の半割れカバー部材の前端部に前記突き合わせ面と平行に突設された第２突起部と、を備え、
前記コネクタハウジングの後端には、前記端子収容孔の配列の一側に設けられて前記第１突起部が前記端子金具の挿入方向に沿って嵌合される第１凹部と、前記端子収容孔の配列の他側に設けられて前記第２突起部が前記端子金具の挿入方向に沿って嵌合される第２凹部と、を備えたことを特徴とするカバー付コネクタ。
【請求項２】
前記電線カバーは、前記コネクタハウジングとは別体で、前記第１突起部及び第２突起部が前記コネクタハウジングの第１凹部及び第２凹部に嵌合完了したときに、前記コネクタハウジング上のロック部に係合して抜け止めを果たす係合部を備えたことを特徴とする請求項１に記載のカバー付コネクタ。
【請求項３】
前記係合部は、前記端子収容孔の配列方向に直交する前記コネクタハウジングの両側面を挟む一対の対向側壁部に設けられていることを特徴とする請求項２に記載のカバー付コネクタ。
【請求項４】
前記電線カバーには、電線収容部を複数に仕切って、収容する複数の電線を隔離収容する仕切り壁を備えたことを特徴とする請求項１〜３のいずれか一つに記載のカバー付コネクタ。
【請求項５】
前記２つの半割れカバー部材の少なくとも一方には、前記端子収容孔に嵌合して、前記端子収容孔内の端子金具の後端を押圧固定する端子押圧突起を設けたことを特徴とする請求項１〜４のいずれか一つに記載のカバー付コネクタ。
【発明の詳細な説明】
【技術分野】
【０００１】
本発明は、端子金具を収容する端子収容孔が後端に開口したコネクタハウジングと、前記コネクタハウジングの後端に連結され前記端子金具から後方に延出する電線を略真っ直ぐに後方に延びた状態で収容保護する略筒状の電線カバーと、を備えるカバー付コネクタに関する。
【背景技術】
【０００２】
電線を略真っ直ぐに延びた状態で収容保護する略筒状の電線カバーの場合は、通常、電線の挿通を容易にするために、筒構造を縦に２つのカバー部材に分割した半割れ構造にされることが多い。
【０００３】
図２１〜図２５は、電線カバーが２つの半割れカバー部材により構成されるカバー付コネクタの従来例を示したものである。
ここに示したカバー付コネクタ１は、下記特許文献１に開示されたもので、コネクタハウジング３と、該コネクタハウジング３の後端に連結される電線カバー５とを備えている。
【０００４】
コネクタハウジング３は、図２３に示したように、端子金具７を収容する端子収容孔８が、後端（図２３では右端）に開口している。端子金具７は、図２３に矢印Ｂで示すように、ハウジングの後端側から端子収容孔８に挿入される。端子収容孔８は、図２２に示すように、ハウジングの幅方向に２つ並んで配列されている。
【０００５】
電線カバー５は、図２１に示すように、コネクタハウジング３の幅方向の中心を通る垂直面Ｈ１で、左右に開閉する２つの半割れカバー部材１１，１２から構成されている。２つの半割れカバー部材１１，１２は、前端側が薄肉ヒンジ１４によりコネクタハウジング３に連結一体化されている。従って、各半割れカバー部材１１，１２は、図２１に矢印Ｒ１，Ｒ２で示すように、薄肉ヒンジ１４を回動支点として、ハウジングの幅方向に開閉可能である。
【０００６】
２つの半割れカバー部材１１，１２は、垂直面Ｈ１で、互いの突き合わせ面１１ａ，１２ａを突き合わせることで、電線９を挿通させる略真直な筒状の電線収容部１３を形成する。
【０００７】
一方の半割れカバー部材１１の上下の外面には、カバー連結用突起１１ｂが突設されている。そして、他方の半割れカバー部材１２には、２つの半割れカバー部材１１，１２を互いの突き合わせ面１１ａ，１２ａで突き合わせた時に、カバー連結用突起１１ｂに係合するカバー連結片１２ｂが突設されている。
【０００８】
２つの半割れカバー部材１１，１２は、互いの突き合わせ面１１ａ，１２ａを突き合わせることで、図２４に示したように、カバー連結用突起１１ｂとカバー連結片１２ｂとが係合して、連結一体化される。
【０００９】
２つの半割れカバー部材１１，１２の前端部には、２つの半割れカバー部材１１，１２相互が垂直面Ｈ１上で突き合された状態になった時に、コネクタハウジング３の後端の凹部３ｃに嵌合する突起部１１ｃ，１２ｃが設けられている。これらの突起部１１ｃ，１２ｃが凹部３ｃに嵌合することで、各半割れカバー部材１１，１２の下端側がコネクタハウジング３に連結された状態になる。
【先行技術文献】
【特許文献】
【００１０】
【特許文献１】特開２００３−１００３７９号公報
【発明の概要】
【発明が解決しようとする課題】
【００１１】
ところで、前述した特許文献１のカバー付コネクタ１では、コネクタハウジング３の後端の凹部３ｃ、及び該凹部３ｃに嵌合する電線カバー５側の突起部１１ｃ，１２ｃは、図２５に示したように、端子収容孔８の配列位置Ｈに対して、その片側（図２５では、下側）にのみ、装備されている。
言い換えると、コネクタハウジング３と電線カバー５とを連結するための凹凸嵌合部の配置が、端子収容孔８の配列位置Ｈに対して上下非対称になっている。
そのため、突起部１１ｃ，１２ｃや凹部３ｃなどに成形歪みによる反りや傾きが生じた場合に、コネクタハウジング３に対する電線カバー５の取付姿勢が、端子収容孔８に対する端子金具７の挿入方向に対して傾いた状態になり易い。
【００１２】
電線カバー５の取り付け姿勢が傾いていると、例えば、複数のカバー付コネクタ１が基板等に高密度実装されるような場合に、隣接するカバー付コネクタ１相互間で干渉が生じるなどの不都合が発生するおそれがあった。
【００１３】
また、特許文献１のカバー付コネクタ１では、複数本の電線９がまとめて電線カバー５に挿通される構成で、挿通している一部の電線９に振動や振れが作用したとき、その振動や振れが他の電線９にも伝わり易い。
そのため、コネクタハウジング３に収容されている各端子金具７が、電線９を介して振動を受け易く、外部からの振動によって端子金具の接点部が相手端子金具と擦れて、端子金具の接点部に摩耗が生じ易いという問題もあった。
【００１４】
また、コネクタハウジング３から電線９を真っ直ぐに延出させるカバー付コネクタ１では、電線９に作用する張力や振動が端子金具７に伝わり易く、電線から伝わる振動や張力で端子金具７にガタつきが生じ易く、端子金具７のガタつき防止対策も要求されていた。
【００１５】
そこで、本発明の目的は、上記課題を解消することに係り、電線カバーの取付姿勢が傾くことを抑止して、電線カバーの傾きのために不具合が生じることを防止することができるカバー付コネクタを提供することにある。
【課題を解決するための手段】
【００１６】
本発明の前述した目的は、下記の構成により達成される。
（１）端子金具を収容する端子収容孔が後端に開口したコネクタハウジングと、前記コネクタハウジングの後端に連結され前記端子金具から後方に延出する電線を略真っ直ぐに後方に延びた状態で収容保護する略筒状の電線カバーと、を備え、
前記電線カバーは、電線挿通方向に沿う互いの突き合わせ面を突き合わせて接続することで前記電線を挿通させる略真直な筒状の電線収容部を形成する２つの半割れカバー部材と、各半割れカバー部材の前端部に突設されて前記コネクタハウジングの後端の凹部に嵌合されることで前記コネクタハウジングとの連結を果たす突起部と、を備えるカバー付コネクタであって、
前記電線カバーは、互いの突き合わせ面が前記コネクタハウジングにおける前記端子収容孔の配列方向に平行になる２つの半割れカバー部材と、前記コネクタハウジングの後端に連結するときに前記端子収容孔の配列に対してその一側に位置する一方の半割れカバー部材の前端部に前記突き合わせ面と平行に突設された第１突起部と、前記コネクタハウジングの後端に連結するときに前記端子収容孔の配列に対してその他側に位置する他方の半割れカバー部材の前端部に前記突き合わせ面と平行に突設された第２突起部と、を備え、
前記コネクタハウジングの後端には、前記端子収容孔の配列の一側に設けられて前記第１突起部が前記端子金具の挿入方向に沿って嵌合される第１凹部と、前記端子収容孔の配列の他側に設けられて前記第２突起部が前記端子金具の挿入方向に沿って嵌合される第２凹部と、を備えたことを特徴とするカバー付コネクタ。
【００１７】
（２）前記電線カバーは、前記コネクタハウジングとは別体で、前記第１突起部及び第２突起部が前記コネクタハウジングの第１凹部及び第２凹部に嵌合完了したときに、前記コネクタハウジング上のロック部に係合して抜け止めを果たす係合部を備えたことを特徴とする上記（１）に記載のカバー付コネクタ。
【００１８】
（３）前記係合部は、前記端子収容孔の配列方向に直交する前記コネクタハウジングの両側面を挟む一対の対向側壁部に設けられていることを特徴とする上記（２）に記載のカバー付コネクタ。
【００１９】
（４）前記電線カバーには、電線収容部を複数に仕切って、収容する複数の電線を隔離収容する仕切り壁を備えたことを特徴とする上記（１）〜（３）のいずれか一つに記載のカバー付コネクタ。
【００２０】
（５）前記２つの半割れカバー部材の少なくとも一方には、前記端子収容孔に嵌合して、前記端子収容孔内の端子金具の後端を押圧固定する端子押圧突起を設けたことを特徴とする上記（１）〜（４）のいずれか一つに記載のカバー付コネクタ。
【００２１】
上記（１）の構成によれば、コネクタハウジングと電線カバーとを連結させる際、第１突起部と第１凹部との嵌合、及び第２突起部と第２凹部との嵌合は、端子収容孔の配列を挟む略対称的な位置で行われる。そのため、第１突起部や第２突起部などに成形歪みによる反りや傾きが生じていたとしても、従来のカバー付コネクタ（電線カバーに突設した連結用の突起部が端子収容孔の配列の片側だけでハウジングの凹部に嵌合する）と比較すると、電線カバーの取付姿勢が前記端子収容孔に対する端子金具の挿入方向に対して傾くことを抑止することができる。従って、電線カバーの傾きのために不具合が生じることを防止することができる。
【００２２】
上記（２）の構成によれば、電線カバーがコネクタハウジングと別体のため、コネクタハウジングの後端から延出する電線を真っ直ぐに延出させずに、例えば直角に曲げて配索したい場合には、電線カバーを取り外すなど、現場等の状況に応じて柔軟に対応することが可能で、電線の配索の自由度を向上させることができる。
【００２３】
また、コネクタハウジングと電線カバーとの連結状態では、電線カバーの第１突起部及び第２突起部がコネクタハウジングの第１凹部及び第２凹部に嵌合した状態となり、更に、コネクタハウジングのロック部と電線カバーの係合部との係合により連結状態がロックされる。そのため、外部からの振動等で前記突起部と凹部との嵌合が外れることを抑止することができ、コネクタハウジングと電線カバーとの連結の信頼性を向上させることができる。
【００２４】
上記（３）の構成によれば、電線カバーの第１突起部及び第２突起部は、端子収容孔の配列方向と平行に突設されている。そのため、これらの第１突起部及び第２突起部とコネクタハウジングの第１凹部及び第２凹部との嵌合では、端子収容孔の配列方向に直交する方向に強い位置規制力を得ることができる。また、電線カバーの係合部は端子収容孔の配列方向に直交する一対の対向側壁部に設けられている。そのため、この係合部とコネクタハウジングのロック部との係合では、端子収容孔の配列方向に沿う方向に対して、強い位置規制力を得ることができる。
即ち、上記（３）の構成では、端子収容孔の配列方向と、この配列方向に直交する方向とのそれぞれの方向に対して強い位置規制力が発揮されるため、電線カバーをより堅固にコネクタハウジングに連結固定することができる。
【００２５】
上記（４）の構成によれば、電線カバーがコネクタハウジングに収容される電線相互を隔離収容する。そのため、外部から電線を伝わる振動や振れを電線カバーの仕切り壁との接触で減衰させて、端子金具に振動を伝わり難くすることができる。さらに、電線カバーの電線収容部内で電線相互が接触しないため、一部の電線に作用した振動が他の電線に伝搬されることを抑止して、各端子金具に伝わる振動を低減することができる。
従って、外部からの振動によって端子金具の接点部が相手端子金具と擦れて摩耗することを低減することができ、外部からの振動に起因した接触不良等の発生を抑止することができる。
【００２６】
上記（５）の構成によれば、電線カバーに装備された端子押圧突起が端子金具の後端を押さえるため、端子金具にガタつきが生じ難くなり、ガタつきに起因した端子金具の接点部の摩耗を抑止することができる。
一般的には、コネクタハウジング内の端子金具に接続されている電線がコネクタハウジングの後端から真っ直ぐに延出する形態のコネクタでは、電線に作用する振動や張力が端子金具に伝わり易く、電線から伝わる振動や張力で端子金具にガタつきが生じ易い。
しかし、上記（５）の構成によれば、このようなガタつきに起因した端子金具の接点部の摩耗を抑止することができる。
【発明の効果】
【００２７】
本発明によるカバー付コネクタによれば、コネクタハウジングと電線カバーとを連結させる際、第１突起部と第１凹部との嵌合、及び第２突起部と第２凹部との嵌合は、端子収容孔の配列を挟む略対称的な位置で行われる。そのため、第１突起部や第２突起部などに成形歪みによる反りや傾きが生じていたとしても、電線カバーに突設した連結用の突起部が端子収容孔の配列の片側だけでハウジングの凹部に嵌合する従来のカバー付コネクタと比較すると、電線カバーの取付姿勢が前記端子収容孔に対する端子金具の挿入方向に対して傾くことを抑止することができる。従って、電線カバーの傾きのために不具合が生じることを防止することができる。
【図面の簡単な説明】
【００２８】
【図１】本発明に係るカバー付コネクタの第１実施形態の分解斜視図である。
【図２】図１に示したカバー付コネクタの組立状態の斜視図である。
【図３】図２に示したカバー付コネクタの縦断面図である。
【図４】図１に示したハウジング本体の縦断面図である。
【図５】図４のＤ部の拡大図である。
【図６】図１に示した電線カバーを構成している２つの半割れカバー部材を開いた状態の斜視図である。
【図７】図３のＥ部の拡大図である。
【図８】本発明に係るカバー付コネクタの第２実施形態の分解斜視図である。
【図９】図８に示したカバー付コネクタの組立状態の斜視図である。
【図１０】図８に示した電線カバーを構成している２つの半割れカバー部材を開いた状態の斜視図である。
【図１１】図９に示したカバー付コネクタの側面図である。
【図１２】図９に示したカバー付コネクタの縦断面図である。
【図１３】図９に示したカバー付コネクタの後面図である。
【図１４】図１１のＬ−Ｌ断面図である。
【図１５】本発明に係るカバー付コネクタの第３実施形態の分解斜視図である。
【図１６】図１５に示した電線カバーを構成している２つの半割れカバー部材を開いた状態の斜視図である。
【図１７】図１５に示したカバー付コネクタの組立状態の斜視図である。
【図１８】図１７に示したカバー付コネクタの後面図である。
【図１９】図１７に示したカバー付コネクタの縦断面図である。
【図２０】図１９のＭ部の拡大図である。
【図２１】従来のカバー付コネクタの電線カバーを開いた状態の平面図である。
【図２２】図２１に示したカバー付コネクタの後面図である。
【図２３】図２２のＡ−Ａ断面図である。
【図２４】図２１に示したカバー付コネクタの電線カバーを閉じた状態の平面図である。
【図２５】図２４のＣ−Ｃ断面図である。
【発明を実施するための形態】
【００２９】
以下、本発明に係るカバー付コネクタの好適な実施形態について、図面を参照して詳細に説明する。
【００３０】
［第１実施形態］
図１は、本発明に係るカバー付コネクタの第１実施形態の分解斜視図である。
この第１実施形態のカバー付コネクタ２１は、コネクタハウジング２３と、該コネクタハウジング２３の後端に連結される電線カバー２５とから構成されている。
【００３１】
コネクタハウジング２３は、図１に示すように、合成樹脂の射出成形等により一体形成されたハウジング本体３１と、該ハウジング本体３１内に装着される防水用のパッキン３２及びフロントホルダ３３とを備えている。
【００３２】
ハウジング本体３１には、図１に示すように、相手コネクタと嵌合する端子収容部３５と、該端子収容部３５の周囲を囲うフード部３６とを有している。端子収容部３５には、不図示の端子金具を収容する３個の端子収容孔４１が、幅方向に一列に配列されている。
【００３３】
端子収容孔４１は、図３及び図４に示すように、後端に開口して設けられていて、ハウジング後方から、端子金具（図８に示す端子金具２６）の挿入が行われる。端子収容部３５とフード部３６との間の隙間３７は、相手コネクタが嵌合する空間である。
図３に示すように、パッキン３２は、端子収容部３５の基端側（図３では右端側）の外周に嵌合装着される。また、フロントホルダ３３は、端子収容部３５の先端側外周に嵌合装着されて、端子収容孔４１の先端部を提供する。
【００３４】
ハウジング本体３１の後端面には、図４及び図５に示すように、第１凹部４２と、第２凹部４３とが、端子収容孔４１の配列を挟んで、略対称的な配置で設けられている。図３及び図４の軸線Ｋは、側面視における端子収容孔４１の中心軸で、端子収容孔４１の配列位置に該当する。
【００３５】
第１凹部４２は、後述する第１突起部５４が嵌合する凹みで、端子収容孔４１の配列の一側（図４では、軸線Ｋの上側）に設けられている。また、第２凹部４３は、後述する電線カバー２５の第２突起部６４が嵌合する凹みで、端子収容孔４１の配列の他側（図４では、軸線Ｋの下側）に設けられている。
第１凹部４２及び第２凹部４３は、前記端子金具の挿入方向に沿って凹んだ孔形に形成されている。第１凹部４２及び第２凹部４３は、端子収容孔４１の上下の隔壁に設けられている。
【００３６】
更に、ハウジング本体３１の後端側の両外側面には、図１及び図２に示すように、ロック部４５が突設されている。このロック部４５は、ハウジング本体３１の後端に嵌合完了した電線カバー２５の係合部５５，６５（後で、詳述する）に係合して、ハウジング本体３１と電線カバー２５との連結状態をロックする。
【００３７】
電線カバー２５は、コネクタハウジング２３とは別体で、合成樹脂の射出成形等により一体形成されたものである。この電線カバー２５は、図２及び図３に示すように、コネクタハウジング２３のハウジング本体３１の後端に連結される。電線カバー２５は、図３に示すように、端子金具から後方に延出する電線（図８に示す電線２２）を略真っ直ぐに後方に延びた状態で収容保護する真直筒状の電線収容部２７を提供する。
【００３８】
本実施形態の電線カバー２５は、挿通する電線の上側を覆う上部半割れカバー部材５０と、挿通する電線の下側を覆う下部半割れカバー部材６０と、の２つの半割れカバー部材５０，６０から構成されている。
２つの半割れカバー部材５０，６０は、図６に示すように、電線を収容する筒状構造を、端子収容孔４１の配列方向に平行な平面で上下に２分割した構造である。２つの半割れカバー部材５０，６０の突き合わせ面５１，６１は、端子収容孔４１の配列方向に平行で、且つ、電線挿通方向に沿っている。
【００３９】
２つの半割れカバー部材５０，６０は、それぞれの一側縁が薄肉ヒンジ２８により回動可能に連結されている。この薄肉ヒンジ２８の部分で折り曲げるように、上部半割れカバー部材５０を下部半割れカバー部材６０の上に重ねると、図１に示したように互いの突き合わせ面５１，６１が付き合わさって、内部に電線収容部２７を有した筒状構造になる。
【００４０】
２つの半割れカバー部材５０，６０は、互いの突き合わせ面５１，６１を付き合わせると、上部半割れカバー部材５０の他側縁に突設した合体用突片５３が下部半割れカバー部材６０の他側縁に装備された合体用係合片６３の凹部６３ａに係合して、図１に示したように閉じた状態に維持される。
【００４１】
本実施形態の電線カバー２５の場合、コネクタハウジング２３の後端に連結するときに端子収容孔４１の配列に対してその一側（図３では、軸線Ｋの上側）に位置する上部半割れカバー部材５０は、その前端部に、第１突起部５４が設けられている。
【００４２】
また、本実施形態の電線カバー２５の場合、コネクタハウジング２３の後端に連結するときに端子収容孔４１の配列に対してその他側（図３では、軸線Ｋの下側）に位置する下部半割れカバー部材６０は、その前端部に、第２突起部６４が設けられている。
【００４３】
第１突起部５４及び第２突起部６４は、いずれも、各半割れカバー部材５０，６０の突き合わせ面５１，６１と平行に突設されている。
【００４４】
第１突起部５４は、電線カバー２５をハウジング本体３１の後端に突き合わせた時に、図７に示すように、ハウジング本体３１の後端の第１凹部４２に端子金具の挿入方向に沿って嵌合して、コネクタハウジング２３との連結を果たす。
第１突起部５４は、端子収容孔４１の配列方向に沿って、２つ装備されている。この第１突起部５４が嵌合する第１凹部４２も，第１突起部５４の配列に対応して、端子収容孔４１の配列方向に沿って２つ並んで装備されている。２つの第１突起部５４は、端子収容孔４１の配列方向に沿って適度の幅を持つ突片である。
【００４５】
第２突起部６４は、電線カバー２５をハウジング本体３１の後端に突き合わせた時に、図７に示すように、ハウジング本体３１の後端の第２凹部４３に端子金具の挿入方向に沿って嵌合して、コネクタハウジング２３との連結を果たす。
第２突起部６４は、ハウジング本体３１の幅方向に幅広に寸法設定された突片である。
【００４６】
また、本実施形態の電線カバー２５は、図１及び図２に示すように、コネクタハウジング２３上のロック部４５に係合する係合部５５，６５を備えている。これらの係合部５５，６５は、ロック部４５が嵌合する孔で、端子収容孔４１の配列方向に直交するコネクタハウジング２３の両側面を挟む一対の対向側壁部５６，６６に設けられている。
【００４７】
対向側壁部５６は、上部半割れカバー部材５０の前端側の一側に延設された側壁で、ハウジング本体３１の後端側の一方の側面に重なる。
対向側壁部６６は、下部半割れカバー部材６０の前端側の一側に延設された側壁で、ハウジング本体３１の後端側の他方の側面に重なる。
【００４８】
上記の係合部５５，６５は、図３に示したように第１突起部５４及び第２突起部６４がコネクタハウジング２３の第１凹部４２及び第２凹部４３に嵌合完了したときに、図２に示したようにコネクタハウジング２３上のロック部４５に係合して、抜け止めを果たす。
【００４９】
以上に説明した第１実施形態のカバー付コネクタ２１では、コネクタハウジング２３と電線カバー２５とを連結させる際、第１突起部５４と第１凹部４２との嵌合、及び第２突起部６４と第２凹部４３との嵌合は、図３に示すように、端子収容孔４１の配列（軸線Ｋの位置）を挟む略対称的な位置で行われる。そのため、第１突起部５４や第２突起部６４などに成形歪みによる反りや傾きが生じていたとしても、従来のカバー付コネクタ（電線カバーに突設した連結用の突起部が端子収容孔の配列の片側だけでハウジングの凹部に嵌合する）と比較すると、電線カバー２５の取付姿勢が前記端子収容孔４１に対する端子金具の挿入方向に対して傾くことを抑止することができる。
従って、電線カバー２５の傾きのために不具合が生じることを防止することができる。
【００５０】
また、上記第１実施形態のカバー付コネクタ２１では、電線カバー２５がコネクタハウジング２３と別体のため、コネクタハウジング２３の後端から延出する電線を真っ直ぐに延出させずに、例えば直角に曲げて配索したい場合には、電線カバー２５を取り外すなど、現場等の状況に応じて柔軟に対応することが可能で、電線の配索の自由度を向上させることができる。
【００５１】
また、コネクタハウジング２３と電線カバー２５との連結状態では、電線カバー２５の第１突起部５４及び第２突起部６４がコネクタハウジング２３の第１凹部４２及び第２凹部４３に嵌合した状態となり、更に、コネクタハウジング２３のロック部４５と電線カバー２５の係合部５５，６５との係合により連結状態がロックされる。そのため、外部からの振動等で突起部５４，６４と凹部４２，４３との嵌合が外れることを抑止することができ、コネクタハウジング２３と電線カバー２５との連結の信頼性を向上させることができる。
【００５２】
また、上記第１実施形態のカバー付コネクタ２１では、電線カバー２５の第１突起部５４及び第２突起部６４は、端子収容孔４１の配列方向と平行に突設されている。そのため、これらの第１突起部５４及び第２突起部６４とコネクタハウジング２３の第１凹部４２及び第２凹部４３との嵌合では、端子収容孔４１の配列方向に直交する方向（図１及び図３の矢印Ｆ方向）に強い位置規制力を得ることができる。更に、電線カバー２５の係合部５５，６５は端子収容孔４１の配列方向に直交する一対の対向側壁部５６，６６に設けられている。そのため、この係合部５５，６５とコネクタハウジング２３のロック部４５との係合では、端子収容孔４１の配列方向に沿う方向（図１の矢印Ｇ方向）に対して、強い位置規制力を得ることができる。
即ち、上記第１実施形態のカバー付コネクタ２１では、端子収容孔４１の配列方向（図１の矢印Ｆ方向）と、この配列方向に直交する方向（図１の矢印Ｇ方向）と、のそれぞれの方向に対して強い位置規制力が発揮されるため、電線カバー２５をより堅固にコネクタハウジング２３に連結固定することができる。
【００５３】
［第２実施形態］
図８は、本発明に係るカバー付コネクタの第２実施形態の分解斜視図である。
この第２実施形態のカバー付コネクタ２１Ａは、端子金具２６を収容保持するコネクタハウジング２３と、該コネクタハウジング２３の後端に連結される電線カバー２５Ａとから構成されている。
【００５４】
このカバー付コネクタ２１Ａの構成部品であるコネクタハウジング２３は、第１実施形態と同一の構成であり、同一構成の部分には、同番号を付して説明を省略する。
【００５５】
端子金具２６は、金属板のプレス成形により形成された圧着端子である。この端子金具２６は、先端側（図８で左端側）から順に、相手の雄型端子が嵌合接続される雌型の端子嵌合部２６ａ、被覆付き電線２２の導体を圧着する芯線圧着部２６ｂ、電線２２の被覆部を固定する被覆加締め部２６ｃ、を備えている。
【００５６】
また、端子金具２６の被覆加締め部２６ｃは、円筒状の防水栓２４の位置決めも行っている。防水栓２４は、図１２に示すように、端子収容孔４１に緊密に嵌合して、被覆付き電線２２を伝って水滴が端子収容孔４１内に侵入することを防止する。
【００５７】
本実施形態の電線カバー２５Ａは、第１実施形態に示した電線カバー２５の一部を改良したものである。改良点は、図１０に示すように、電線カバー２５Ａを構成している上部半割れカバー部材５０Ａ及び下部半割れカバー部材６０Ａに、仕切り壁５７，６７を設けた点である。
【００５８】
仕切り壁５７，６７は、コネクタハウジング２３の端子収容孔４１の配列ピッチに対応して、設けられている。これらの仕切り壁５７，６７は、２つの半割れカバー部材５０Ａ，６０Ａを互いの突き合わせ面５１，６１を突き合わせて閉じた状態にしたときに、電線収容部２７を複数に仕切って、収容する複数の電線２２を隔離収容する。
【００５９】
仕切り壁５７，６７は、図１２に示すように、電線収容部２７の略全長である長さＬ１に渡って装備されている。
【００６０】
２つの半割れカバー部材５０Ａ，６０Ａは、上記仕切り壁５７，６７を装備した点以外の構成は、第１実施形態の半割れカバー部材５０，６０と同様の構成で良く、同様の構成については同番号を付して説明を省略する。
【００６１】
この第２実施形態のカバー付コネクタ２１Ａでは、第１実施形態のカバー付コネクタ２１の作用・効果に加えて、次の作用・効果を奏する。
即ち、第２実施形態のカバー付コネクタ２１Ａでは、電線カバー２５Ａがコネクタハウジング２３に収容される電線２２相互を隔離収容する。そのため、外部から電線２２を伝わる振動や振れを電線カバー２５Ａの仕切り壁５７，６７との接触で減衰させて、端子金具２６に振動を伝わり難くすることができる。さらに、電線カバー２５Ａの電線収容部２７内で電線２２相互が接触しないため、一部の電線に作用した振動が他の電線に伝搬されることを抑止して、各端子金具２６に伝わる振動を低減することができる。
【００６２】
従って、外部からの振動によって端子金具２６の接点部が相手端子金具と擦れて摩耗することを低減することができ、外部からの振動に起因した接触不良等の発生を抑止することができる。
【００６３】
［第３実施形態］
図１５は、本発明に係るカバー付コネクタの第３実施形態の分解斜視図である。
この第３実施形態のカバー付コネクタ２１Ｂは、端子金具２６を収容保持するコネクタハウジング２３と、該コネクタハウジング２３の後端に連結される電線カバー２５Ｂとから構成されている。
【００６４】
このカバー付コネクタ２１Ｂの構成部品であるコネクタハウジング２３や端子金具２６は、第１実施形態と同一の構成であり、同一構成の部分には、同番号を付して説明を省略する。
【００６５】
本実施形態の電線カバー２５Ｂは、第１実施形態に示した電線カバー２５の一部を改良したものである。改良点は、図１６に示すように、電線カバー２５Ｂを構成している上部半割れカバー部材５０Ｂ及び下部半割れカバー部材６０Ｂに、端子収容孔４１に嵌合して、端子収容孔４１内の端子金具２６の後端を前方に押圧固定する端子押圧突起５８，６８を設けた点である。
【００６６】
端子押圧突起５８，６８は、図１６に示すように、各端子収容孔４１毎に、設けられている。また、それぞれの端子押圧突起５８，６８は、図１９及び図２０に示すように、端子収容孔４１内で防水栓２４の後端に当接していて、防水栓２４を介して、端子金具２６を端子収容孔４１の前方に押圧している。
【００６７】
この第３実施形態のカバー付コネクタ２１Ｂでは、第１実施形態のカバー付コネクタ２１の作用・効果に加えて、次の作用・効果を奏する。
一般的には、コネクタハウジング２３内の端子金具２６に接続されている被覆付き電線２２がコネクタハウジング２３の後端から真っ直ぐに延出する形態のコネクタでは、電線２２に作用する振動や張力が端子金具２６に伝わり易く、電線２２から伝わる振動や張力で端子金具２６にガタつきが生じ易い。
しかし、第３実施形態のカバー付コネクタ２１Ｂでは、電線カバー２５に装備された端子押圧突起５８，６８が端子金具２６の後端を押さえるため、端子金具２６にガタつきが生じ難くなり、ガタつきに起因した端子金具２６の接点部の摩耗を抑止することができる。
【００６８】
更に、本実施形態の端子押圧突起５８，６８は、防水栓２４を圧縮しているため、防水栓２４と端子収容孔４１との密着性が向上し、防水性を向上させることもできる。
【００６９】
さらに、端子押圧突起５８，６８は、端子収容孔４１に嵌合していて、各２つの半割れカバー部材５０Ｂ，６０Ｂ相互の開く方向への移動を規制することができ、また、突起部５４電線カバー２５Ｂとハウジング本体３１との連結強度を向上させることもできる。
【００７０】
なお、本発明のカバー付コネクタは、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００７１】
２１，２１Ａ，２１Ｂ  カバー付コネクタ
２２  被覆付き電線（電線）
２３  コネクタハウジング
２４  防水栓
２５，２５Ａ，２５Ｂ  電線カバー
２６  端子金具
２８  薄肉ヒンジ
３１  ハウジング本体
４１  端子収容孔
４２  第１凹部
４３  第２凹部
４５  ロック部
５０，５０Ａ，５０Ｂ  上部半割れカバー部材
５１  突き合わせ面
５３  合体用突片
５４  第１突起部
５５  係合部
５６  対向側壁部
５７  仕切り壁
５８  端子押圧突起
６０，６０Ａ，６０Ｂ  下部半割れカバー部材
６１  突き合わせ面
６３  合体用係合片
６５  係合部
６４  第２突起部
６６  対向側壁部
６７  仕切り壁
６８  端子押圧突起
Ｋ  軸線
【図１】
2011081993.tif 000003
【図２】
2011081993.tif 000004
【図３】
2011081993.tif 000005
【図４】
2011081993.tif 000006
【図５】
2011081993.tif 000007
【図６】
2011081993.tif 000008
【図７】
2011081993.tif 000009
【図８】
2011081993.tif 000010
【図９】
2011081993.tif 000011
【図１０】
2011081993.tif 000012
【図１１】
2011081993.tif 000013
【図１２】
2011081993.tif 000014
【図１３】
2011081993.tif 000015
【図１４】
2011081993.tif 000016
【図１５】
2011081993.tif 000017
【図１６】
2011081993.tif 000018
【図１７】
2011081993.tif 000019
【図１８】
2011081993.tif 000020
【図１９】
2011081993.tif 000021
【図２０】
2011081993.tif 000022
【図２１】
2011081993.tif 000023
【図２２】
2011081993.tif 000024
【図２３】
2011081993.tif 000025
【図２４】
2011081993.tif 000026
【図２５】
2011081993.tif 000027